(57)【要約】      （修正有）【課題】凸部の連綿形状等により持ち手が滑らないだけでなく、突部の傷つくのを防止でき、また、高温滅菌消毒に伴う熱収縮にかかわらず亀裂や塑性変形が生じない飲料水の樹脂瓶を提供する。【解決手段】プラスチックで成形され、胴部１の上端にスクリューキャップが密嵌されるよう小径の口部３が突設される飲料水の樹脂瓶Ｐにおいて、胴部が平面からなる四面のパネル面６を有する角筒形であって、持ち手の指当たりに相当する下半部の各パネル面に、段差により広く凹所８を設けるとともに、段差内に凸部１１がランダム様に配列される凹凸粗面１０を形成し、各凸部をパネル面との仮想面一面６ａよりも低く形成した。【選択図】図２
0003141022.tif 000002
【実用新案登録請求の範囲】
【請求項１】
プラスチックで成形され、胴部の上端にスクリューキャップが密嵌されるよう小径の口部が突設される飲料水の樹脂瓶において、胴部が平面からなる四面のパネル面を有する角筒形であって、持ち手の指当たりに相当する下半部の各パネル面に、段差により広く凹所を設けるとともに、段差内に凸部がランダム様に配列される凹凸粗面を形成し、各凸部をパネル面との仮想面一面よりも低く形成したことを特徴とする飲料水の樹脂瓶。
【請求項２】
凹凸粗面は、凸部が連綿とつらなるクリスタル模様と、凸部が水玉様に配列される水玉模様と、凸部が編み目状に走る大理石模様とのいずれかであることを特徴とする請求項１記載の飲料水の樹脂瓶。
【考案の詳細な説明】
【技術分野】
【０００１】
この考案は、主として、海洋深層水やナチュラルウオーター、ミネラルウオーター、さらにはジュースやお茶等の飲料水を市販するために用いられる飲料水の樹脂瓶に関する。
【背景技術】
【０００２】
従来、この種の樹脂瓶は、プラスチック素材でブロー成形された円筒形または四角等の角筒形であって、小径の上端口部にはスクリューキャップが螺着され、完全密閉して飲料水が包装される。形状については、円筒形も多いが、倒して置かれても不用意に転がらないためと、箱にスペース的に効率良く詰め込み得ることと、滑ることなく持ちやすいこと、高温滅菌消毒後における内容物の熱収縮に順応しやすいこと等のために、四角筒形が多用される傾向がある。
【０００３】
プラスチック素材には、ポリエチレン、ポリプロピレン、ポリスチレン、塩化ビニル樹脂等が用いられているが、最近ではＰＥＴ（熱可塑性ポリエステル）からなるボトルが飛躍的にのびている。ＰＥＴボトルは、硬度が低いが粘りがあり破損しない、肉厚を薄くして軽量化が可能である等の点で特に優れた面があるからである。しかし、柔らかいので傷つきやすい、高温滅菌消毒では素材が変形する等の欠点がある。
【考案の開示】
【考案が解決しようとする課題】
【０００４】
傷つきやすいという点に関しては、殊に、手が滑らないように外周面に凹凸粗面を設けたときには、凸部が他の物に触れやすく、その先端部が擦れて色あせるので、これが商品陳列効果の障害となっていた。
【０００５】
高温滅菌消毒については、海洋深層水やミネラル・ナチュラルウオーターの場合であると、それを瓶詰め後に１００°Ｃに近い温度で加熱してから、その加熱温度が維持された状態でスクリューキャップで密栓されるので、内容物が冷めるときの熱収縮により樹脂瓶が塑性変形したり、また、樹脂瓶自体が収縮したとき、形状的に収縮が平均して吸収されない構造部分があると、応力が一部に集中し亀裂が発生することがあるという問題があった。
【０００６】
この考案は、上記のような実情に鑑みて、凸部の連綿形状等により持ち手が滑らないだけでなく、突部の傷つくのを防止でき、また、高温滅菌消毒に伴う熱収縮にかかわらず亀裂や塑性変形が生じない飲料水の樹脂瓶を提供することを課題とした。
【課題を解決するための手段】
【０００７】
上記の課題を解決するために、この考案、プラスチックで成形され、胴部の上端にスクリューキャップが密嵌されるよう小径の口部が突設される飲料水の樹脂瓶において、胴部が平面からなる四面のパネル面を有する角筒形であって、持ち手の指当たりに相当する下半部の各パネル面に、段差により広く凹所を設けるとともに、段差内に凸部がランダム様に配列される凹凸粗面を形成し、各凸部をパネル面との仮想面一面よりも低く形成したことを特徴とする飲料水の樹脂瓶を提供する。
【０００８】
飲料水の樹脂瓶を上記のように構成したから、凹凸粗面が段差で低い凹所に設けられているために、そこに指を落として滑ったり外れたりしないよう安定して掛けることができ、また、凸部がパネル面との仮想面一面よりも凸部が低いために、それに他の物が触れがたく、さらに、凹凸粗面が凸部のランダム様の配列であるために、自在に変形しやすい。
【考案の効果】
【０００９】
以上説明したように、この考案の飲料水の樹脂瓶によれば、凸部のランダム様配列とその部分の凹みによりそこで持ち手が滑らなく、安全に飲用動作をすることができ、また、突部の傷つくのを防止できるため、凸部の配列の意匠的効果とも相まって、商品陳列効果が有効に保持され、さらに、高温滅菌消毒に伴う熱収縮が凹凸粗面の自在な変形により吸収されるため、亀裂や変形が生じることなく商品価値を美的に保持し得るという優れた効果がある。
【考案を実施するための最良の形態】
【００１０】
飲料水の樹脂瓶Ｐは、プラスチック素材に、ポリエチレン、ポリプロピレン、ポリスチレン、塩化ビニル樹脂、ＰＥＴ（ポリエチレンテレフタレート）等でブロー成形等により製造される。実施例についてはＰＥＴを用いブロー成形した。
【００１１】
図１ないし図５は一実施例を示したもので、その飲料水の樹脂瓶Ｐは、本体としての胴部１が四角筒形（四角の各角がとられているために八角筒形をも言える）であって小径に絞られて上端口部３にスクリューキャップ５が螺着される雄ねじが形成され、胴部１の各面が平らなパネル面６に形成され、高さ中間部に環状凹溝４を設け、それよりも下方の下半部の各パネル面６に段差９で落ち込む凹所８を設けるとともに、凹所８が凹凸粗面１０に形成される。
【００１２】
凹凸粗面１０は、各段差９の内側に多数の凸部１１，１１，・・が範囲いっぱいに連綿としてつらなる形状であって、この場合は、氷が無秩序に砕けた平面の模様に似ており、また、各凸部１１が宝石に似せてカット面を有するために、段差９の枠内が凹凸粗面１０で光を乱反射し、これが人の注意を惹く。この光の乱反射効果に着眼してクリスタル模様（あるいは氷模様、玉砂利模様）と称することにした。ただし、凹凸粗面１０は、クリスタル模様等に限られることはなく、直線、曲線、曲面、平面をランダムに配列して自在且つ独創的に形成される。
【００１３】
例えて、凹凸粗面１０の他の形状としては、図６において、凸部１１が水玉のように間隔をおいて配列される水玉模様を、図７において、自然石に入っている筋模様を凸部１１として表した大理石模様をそれぞれを示す。
【００１４】
いずれにしても、段差９により低い凹所８において、凸部１１はパネル面６と同じ高さの仮想の面一面６ａよりも低い形状であるので、パネル面６が障碍となることによって他の物に触れる機会が大幅に減少する。また、触れたとしても軽いタッチとなり、傷つくおそれがなく、商品としての美観を安全に保持し得る。
【００１５】
なお、仮に、段差９内が平面であるとすると、その平面の変形の自由が均一な平面で拘束されるために、応力が一点に集中してそこから亀裂が入りやすいが、上記凹凸粗面１０では直線、曲線、曲面、平面をランダムに配置されて変形自在であり、これで熱収縮が吸収され亀裂が入らない。
【００１６】
環状凹溝４よりも上部の各パネル面６では、上中下の三本の横溝７，７，７が形成され、環状凹溝７とともにリブの機能および熱収縮の吸収機能を果たしている。
【図面の簡単な説明】
【００１７】
【図１】この考案の一実施例としての飲料水の樹脂瓶を示す正面図である。
【図２】図１のＡ−Ａ線矢視の断面図である。
【図３】図１のＢ−Ｂ線矢視の断面図である。
【図４】図１のＣ−Ｃ線矢視の拡大断面図である。
【図５】同飲料水の樹脂瓶の平面図である。
【図６】凹凸粗面について他の実施例を示す正面図である。
【図７】凹凸粗面について他の実施例を示す正面図である。
【符号の説明】
【００１８】
Ｐ  飲料水の樹脂瓶
１  胴部
３  口部
５  スクリューキャップ
６  パネル面
６ａ  仮想の面一面
８  凹所
９  段差
１０  凹凸粗面
１１  凸部
【図１】
0003141022.tif 000003
【図２】
0003141022.tif 000004
【図３】
0003141022.tif 000005
【図４】
0003141022.tif 000006
【図５】
0003141022.tif 000007
【図６】
0003141022.tif 000008
【図７】
0003141022.tif 000009